(57)【要約】【課題】  発明の課題は、空気調和装置３０ａ，３０ｂ・・・，３１と空調監視制御機器２１，２２との通信のオープン化に対応しつつもメーカ独自の精密な監視制御を行うことができる空調監視制御システム１００を提供することにある。【解決手段】  空調監視制御システム１００は、空気調和装置３０ａ，３０ｂ・・・，３１、第１空調監視制御機器２１、および第２空調監視制御機器２２を備える。第１空調監視制御機器２１は、空気調和装置３０ａ，３０ｂ・・・，３１と第１通信ライン５３を介して通信接続される。また、この第１空調監視制御機器２１は、第１監視制御手段および第２監視制御手段を有する。第２空調監視制御機器２２は、空気調和装置３０ａ，３０ｂ・・・，３１と第２通信ライン５３を介して通信接続される。また、この第２空調監視制御機器２２は、第１監視制御手段および第３監視制御手段を有する。【選択図】      図１
2005274125.tif 000002
【特許請求の範囲】
【請求項１】
空気調和装置（３０ａ，３０ｂ・・・，３１）と、
前記空気調和装置（３０ａ，３０ｂ・・・，３１）と第１通信ライン（５３）を介して通信接続され、前記空気調和装置（３０ａ，３０ｂ・・・，３１）を監視または／および制御する第１監視制御手段および第２監視制御手段を有する第１空調監視制御機器（２１）と、
前記空気調和装置（３０ａ，３０ｂ・・・，３１）と第２通信ライン（５３）を介して通信接続され、前記空気調和装置（３０ａ，３０ｂ・・・，３１）を監視または／および制御する前記第１監視制御手段および第３監視制御手段を有する第２空調監視制御機器（２２）と、
を備える、空調監視制御システム（１００）。
【請求項２】
前記第１空調監視制御機器および前記第２空調監視制御機器は、前記空気調和装置と第１通信プロトコルにより通信を行う、
請求項１に記載の空調監視制御システム。
【請求項３】
前記第１空調監視制御機器に接続または内蔵される、前記空気調和装置を監視するための第１監視盤（１１）と、
前記第２空調監視制御機器に接続または内蔵される、前記空気調和装置を監視するための第２監視盤（１２）と、
をさらに備え、
前記第２空調監視制御機器は、第１通信プロトコルと第２通信プロトコルとを相互に変換可能である通信プロトコル変換手段（２２ｄ）をさらに有し、
前記第１監視盤は、前記第１空調監視制御機器と前記第１通信プロトコルを用いて通信を行い、
前記第２監視盤は、前記第２空調監視制御機器と前記第２通信プロトコルを用いて通信を行う、
請求項２に記載の空調監視制御システム（１００）。
【請求項４】
第１通信プロトコルは、メーカ固有のプロトコルであり、
第２通信プロトコルは、オープンプロトコルである、
請求項３に記載の空調監視制御システム（１００）。
【請求項５】
前記第１通信ライン（５３）と前記第２通信ライン（５３）とは、同一の通信ラインである、
請求項１から４のいずれかに記載の空調監視制御システム（１００）。
【請求項６】
前記第１監視制御手段は、前記空気調和装置に対して少なくとも１種類の制御を行うことが可能であり、
前記第１空調監視制御機器および前記第２空調監視制御装置の少なくとも一方は、前記制御のうち１種類の制御について又は少なくとも２種類の制御それぞれについて発現／停止が選択可能である制御選択手段をさらに有する、
請求項１から５のいずれかに記載の空調監視制御システム。
【請求項７】
前記制御には、前記空気調和装置の強制サーモオフ制御およびスケジュール運転制御のうち少なくとも１つの制御が含まれる、
請求項６に記載の空調監視制御システム。
【発明の詳細な説明】
【技術分野】
【０００１】
本発明は、空気調和装置を監視制御する空調監視制御システムに関する。
【背景技術】
【０００２】
近年、ビル監視システムでは、空気調和装置と空調監視制御機器との通信がオープン化されつつある（例えば、特許文献１参照）。今後、この通信のオープン化が促進されていけば、複数メーカの空気調和装置がビル内に混在してもそれらを１つのシステムとして運用できるようになり、ユーザの利便性が高まる。
【特許文献１】特開２００２−１５６１４３号公報
【発明の開示】
【発明が解決しようとする課題】
【０００３】
しかし、現状では、空気調和装置の情報を表す共通モデルパターンが限られているため、今まで蓄積してきたメーカ独自の監視制御技術をそのまま現状のビル監視システムに組み込むことは極めて難しい。したがって、現状の通信のオープン化は空気調和装置の運転／停止の監視制御など、基本的なものにとどまる。本発明の課題は、空気調和装置と空調監視制御機器との通信のオープン化に対応しつつもメーカ独自の精密な監視制御を行うことができる空調監視制御システムを提供することにある。
【課題を解決するための手段】
【０００４】
第１発明に係る空調監視制御システムは、空気調和装置、第１空調監視制御機器、および第２空調監視制御機器を備える。第１空調監視制御機器は、空気調和装置と第１通信ラインを介して通信接続される。また、この第１空調監視制御機器は、第１監視制御手段および第２監視制御手段を有する。なお、第１監視制御手段および第２監視制御手段は、空気調和装置を監視または／および制御する。第２空調監視制御機器は、空気調和装置と第２通信ラインを介して通信接続される。また、この第２空調監視制御機器は、第１監視制御手段および第３監視制御手段を有する。なお、第１監視制御手段および第３監視制御手段は、空気調和装置を監視または／および制御する。
【０００５】
ここでは、第１空調監視制御機器が、第１監視制御手段および第２監視制御手段を有する。また、第２空調監視制御機器が、第１監視制御手段および第３監視制御手段を有する。ここで、第１空調監視制御機器がメーカ独自の空調監視制御機器であって、第２空調監視制御機器がオープン対応の空調監視制御機器であるとすると、第１監視制御手段が第１空調監視制御機器および第２空調監視制御機器に共通する監視制御手段となり、第２監視制御手段がメーカ独自の監視制御手段となり、第３監視制御手段がオープン対応監視制御手段となる。したがって、この空調監視制御システムでは、空気調和装置と監視制御機器との通信のオープン化に対応しつつもメーカ独自の精密な監視制御を行うことができる。
【０００６】
第２発明に係る空調監視制御システムは、第１発明に係る空調監視制御システムであって、第１空調監視制御機器および第２空調監視制御機器は、空気調和装置と第１通信プロトコルにより通信を行う。
ここでは、第１空調監視制御機器および第２空調監視制御機器が、空気調和装置と第１通信プロトコルにより通信を行う。このため、この空調監視制御システムでは、空気調和装置の通信機能を簡易化することができる。
【０００７】
第３発明に係る空調監視制御システムは、第２発明に記載の空調監視制御システムであって、第１監視盤、および第２監視盤をさらに備える。第１監視盤は、空気調和装置を監視するためのものであって、第１空調監視制御機器に接続または内蔵される。第２監視盤は、空気調和装置を監視するためのものであって、第２空調監視制御機器に接続または内蔵される。また、第２空調監視制御機器は、通信プロトコル変換手段をさらに有する。通信プロトコル変換手段は、第１通信プロトコルと第２通信プロトコルとを相互に変換可能である。そして、第１監視盤は、第１空調監視制御機器と第１通信プロトコルを用いて通信を行う。また、第２監視盤は、第２空調監視制御機器と第２通信プロトコルを用いて通信を行う。
【０００８】
ここでは、第１監視盤が、第１空調監視制御機器に接続または内蔵される。また、第２監視盤が、第２空調監視制御機器に接続または内蔵される。そして、第２空調監視制御機器が、通信プロトコル変換手段をさらに有する。通信プロトコル変換手段が、第１通信プロトコルと第２通信プロトコルとを相互に変換可能である。そして、第１監視盤は、第１空調監視制御機器と第１通信プロトコルを用いて通信を行う。また、第２監視盤は、第２空調監視制御機器と第２通信プロトコルを用いて通信を行う。このため、この空調監視制御システムでは、オペレータ等は、メーカ独自の空調監視制御機器の監視のみならず、オープン対応の空調監視制御機器の監視も行うことができる。
【０００９】
第４発明に係る空調監視制御システムは、第３発明に係る空調監視制御システムであって、第１通信プロトコルは、メーカ固有のプロトコルである。また、第２通信プロトコルは、オープンプロトコルである。なお、ここにいう「オープンプロトコル」とは、LONWORKSプロトコルやBACnetプロトコル(A Data Communication Protocol for Building Automation and Control Networks: ISO16484-5、標準化が進められているビル用管理システムの通信プロトコル）などである。
【００１０】
ここでは、第１通信プロトコルが、メーカ固有のプロトコルである。また、第２通信プロトコルが、オープンプロトコルである。このため、メーカ独自のプロトコルに対応する空気調和装置とオープン対応の空気調和装置とを設計変更などを伴わずに容易に接続することができる。
第５発明に係る空調監視制御システムは、第１発明から第４発明のいずれかに係る空調監視制御システムであって、第１通信ラインと第２通信ラインとは、同一の通信ラインである。
【００１１】
ここでは、第１通信ラインと第２通信ラインとが、同一の通信ラインである。このため、空調監視制御システムの配線作業を容易に行うことができる。
第６発明に係る空調監視制御システムは、第１発明から第５発明のいずれかに係る空調監視制御システムであって、第１監視制御手段は、空気調和装置に対して少なくとも１種類の制御を行うことが可能である。また、第１空調監視制御機器および第２空調監視制御装置の少なくとも一方は、制御選択手段をさらに有する。制御選択手段では、制御のうち１種類の制御について又は少なくとも２種類の制御それぞれについて発現／停止が選択可能である。
【００１２】
ここでは、制御選択手段で、制御のうち１種類の制御について又は少なくとも２種類の制御それぞれについて発現／停止が選択可能である。このため、この空調監視制御システムでは、ユーザが混乱するのを防止したり、空気調和装置の制御に不具合が起きるのを防止したりすることができる。
第７発明に係る空調監視制御システムは、第６発明に係る空調監視制御システムであって、制御には、空気調和装置の強制サーモオフ制御およびスケジュール運転制御のうち少なくとも１つの制御が含まれる。
【００１３】
ここでは、制御に、空気調和装置の強制サーモオフ制御およびスケジュール運転制御のうち少なくとも１つの制御が含まれる。このため、この空調監視制御システムでは、運転スケジュールに対してユーザが混乱するのを防止したり、空気調和装置の省エネルギー制御やデマンド制御などに不具合が起きるのを防止したりすることができる。
【発明の効果】
【００１４】
第１発明に係る空調監視制御システムでは、空気調和装置と監視制御機器との通信のオープン化に対応しつつもメーカ独自の精密な監視制御を行うことができる。
第２発明に係る空調監視制御システムでは、空気調和装置の通信機能を簡易化することができる。
第３発明に係る空調監視制御システムでは、オペレータ等は、メーカ独自の空調監視制御機器の監視のみならず、オープン対応の空調監視制御機器の監視も行うことができる。
【００１５】
第４発明に係る空調監視制御システムでは、メーカ独自のプロトコルに対応する空気調和装置とオープン対応の空気調和装置とを設計変更などを伴わずに容易に接続することができる。
第５発明に係る空調監視制御システムでは、配線作業を容易に行うことができる。
第６発明に係る空調監視制御システムでは、ユーザが混乱するのを防止したり、空気調和装置の制御に不具合が起きるのを防止したりすることができる。
【００１６】
第７発明に係る空調監視制御システムでは、運転スケジュールに対してユーザが混乱するのを防止したり、空気調和装置の省エネルギー制御やデマンド制御などに不具合が起きるのを防止したりすることができる。
【発明を実施するための最良の形態】
【００１７】
［空調監視制御システムの構成］
本実施の形態に係る空調監視制御システムを図１に示す。
この空調監視制御システム１００は、図１に示すように、主に、エアコンの室内機３０ａ，３０ｂ・・・、室外機３１、専用空調コントローラ２１、オープン対応空調コントローラ２２、専用監視ＰＣ１１、オープン対応監視ＰＣ１２、およびオープン対応機器（例えば、照明機器、防犯機器、および防災機器など）から成るサブシステム４０ａ，４０ｂ・・・とから構成される。
【００１８】
［空調監視制御システムの接続形態］
エアコンの室内機３０ａ，３０ｂ・・・および室外機３１は、第１通信ライン５３を介して専用空調コントローラ２１およびオープン対応空調コントローラ２２に通信接続される。専用空調コントローラ２１は、第２通信ライン５１を介して専用監視ＰＣ１１に通信接続される。オープン対応空調コントローラ２２は、第３通信ライン５２を介してオープン対応監視ＰＣ１２に通信接続される。また、オープン対応機器から成るサブシステム４０ａ，４０ｂ・・・も第３通信ライン５２を介してオープン対応監視ＰＣ１２に通信接続される。
【００１９】
［空調監視制御システムの構成要素］
（１）エアコンの室内機および室外機
エアコンの室内機３０ａ，３０ｂ・・・は、室外機３１と図示しない冷媒配管により配管接続されている。そして、室内機３０ａ，３０ｂ・・・は、室外機３１から冷媒配管を介して供給される冷媒により吸い込んだ空気を冷却したり加熱したりすることにより、その室内機３０ａ，３０ｂ・・・の周りの空間を冷房あるいは暖房する。なお、この室内機３０ａ，３０ｂ・・・および室外機３１は、メーカ独自の通信プロトコルに対応している。
【００２０】
（２）専用空調コントローラ
専用空調コントローラ２１は、室内機３０ａ，３０ｂ・・・および室外機３１の状態ならびにその周りの環境状態（温度、湿度、あるいは空気清浄度など）を監視する機能を有するとともに、室内機３０ａ，３０ｂ・・・および室外機３１を制御する機能をも有する。この専用空調コントローラ２１は、図４（ａ）に示されるように、主に、制御部２１ａ、記憶部２１ｃ、および通信部２１ｂから構成されている。記憶部２１ｃには、状態監視機能、リモコン操作許可禁止設定状態監視機能、発停失敗監視機能、連続運転時限監視機能、状態不一致警報監視機能、計測値上下限監視機能、機器個別発停操作・設定値変更機能、リモコン操作許可禁止設定機能、メンテナンス中機器登録機能、スケジュール制御機能、機器連動制御機能、停復電処理機能、強制停止機能、下位集中操作禁止機能、省エネルギー制御機能、デマンド制御機能、運転時間積算機能、発停回数積算機能、日報・月報・年報作成機能、トレンド機能、電力按分／料金計算機能、ＮＳＣエアネット機能、ローカル故障予知機能を司る監視制御プログラムが格納されている（図２および図３参照）。なお、これらの機能のうち、連続運転時限監視、状態不一致警報監視機能、省エネルギー制御機能、デマンド制御機能、日報・月報・年報作成機能、およびローカル故障予知機能は、専用空調コントローラ２１に独自の機能である。また、この記憶部２１ｃには、室内機３０ａ，３０ｂ・・・および室外機３１から送信されてくる監視データ等が格納される。制御部２１ａは、上記監視制御プログラムを実行し、室内機３０ａ，３０ｂ・・・および室外機３１に対して種々の機能を発現させる。通信部２１ｃは、メーカ独自の通信プロトコルに対応している。
【００２１】
状態監視機能は、室内機３０ａ，３０ｂ・・・および室外機３１ならびに室内機３０ａ，３０ｂ・・・および室外機３１の周囲の環境（温度や湿度など）の状態を種々のセンサにより計測し監視する機能である。リモコン操作許可禁止設定状態監視機能は、室内機３０ａ，３０ｂ・・・それぞれにおいてローカルリモコン（ワイヤードリモコンやワイヤレスリモコンなど）による操作が許可設定されているか禁止設定されているかを監視する機能である。これは、主に、空調コントローラ２１，２２の制御機能との関係を確認するために用いられる。発停失敗監視機能は、専用空調コントローラ２１が室内機３０ａ，３０ｂ・・・および室外機３１の発停操作に失敗した場合に、その事実を監視者に知らせる機能である。連続運転時限監視機能は、空調機系統、室外機３１、および室内機３０ａ，３０ｂなどの連続運転時間を監視する機能である。状態不一致警報監視機能は、制御内容に対してあるべき状態と実状態とが不一致になった場合にその室内機３０ａ，３０ｂ・・・や室外機３１などが異常であると判断し警報を鳴動する機能である。計測値上下限監視機能は、センサ値などが所定の許容範囲内に収まっているかを監視する機能である。機器個別発停操作・設定値変更機能は、室内機３０ａ，３０ｂ・・・や室外機３１などを個別に発停させたり室内機３０ａ，３０ｂ・・・や室外機３１などの設定値を個別に変更したりすることのできる機能である。リモコン操作許可禁止設定機能は、室内機３０ａ，３０ｂ・・・それぞれに対してローカルリモコン（ワイヤードリモコンやワイヤレスリモコンなど）による操作を許可するか禁止するかを設定する機能である。メンテナンス中機器登録機能は、メンテナンスモードに設定されている室内機３０ａ，３０ｂ・・・および室外機３１などを検出しメンテナンスリストに登録する機能である。スケジュール制御機能は、時間を指定して室内機３０ａ，３０ｂ・・・および室外機３１などを運転させる機能である。機器連動制御機能は、例えば、室内機３０ａ，３０ｂなどと外気冷房ファンや外気冷房ダンパなどとを連動するように制御する機能である。停復電処理機能は、停電が起こった後復電時にどのような処理で専用空調コントローラ２１を復帰させるかを決定する機能である。強制停止機能は、室内機３０ａ，３０ｂ・・・や室外機３１などが所定の条件に達した場合に、強制的にその室内機３０ａ，３０ｂ・・・や室外機３１などを停止させる機能である。下位集中操作禁止機能は、集中制御機器が階層的に接続されている場合、下位に当たる集中制御機器によるエアコンの操作を禁止し、上位に当たる集中制御機器に直接、エアコンの操作を担当させる機能である。省エネルギー制御機能は、ビル内の空調負荷や気象条件に基づいて室内機３０ａ，３０ｂ・・・や室外機３１などを省エネルギー運転させる機能である。デマンド制御機能は、３０分時限単位で、予測される使用エネルギー量を推定し、その使用エネルギー量が上限を超過しないように室内機３０ａ，３０ｂ・・・や室外機３１などの運転を制御する機能である。運転時間積算機能は、空調機系統、室外機３１、および室内機３０ａ，３０ｂなどの運転時間を積算する機能である。発停回数積算機能は、室外機３１および室内機３０ａ，３０ｂなどの発停回数を積算する機能である。日報・月報・年報作成機能は、空調機系統、室外機３１、および室内機３０ａ，３０ｂ・・・の日単位、月単位、年単位の運転時間や発停回数、使用電力量、省エネルギー達成率、異常発生回数などの種々のデータを報告書形式でまとめる機能である。トレンド機能は、比較的最近の室内機３０ａ，３０ｂ・・・や室外機３１などの状態の傾向を報知する機能である。電力按分／料金計算機能は、ビル内のテナントごとに使用電力量を按分し、その按分された電力量に基づいて各テナントから徴収する料金を計算するための機能である。ＮＳＣエアネット機能は、空調機系統、室外機３１、および室内機３０ａ，３０ｂ・・・などの監視データなどを遠方の集中管理センターに送信する機能である。これによって、室内機３０ａ，３０ｂ・・・や室外機３１などの遠隔監視制御が可能となる。ローカル故障予知機能は、室内機３０ａ，３０ｂ・・・や室外機３１などの特定部品の状態が所定の状態値に達したことを報知し、室内機３０ａ，３０ｂ・・・や室外機３１などが近々に故障に至る、又はその特定部品が近々に消耗に至ることを通知する機能である。
【００２２】
（３）オープン対応空調コントローラ
オープン対応空調コントローラ２２は、専用空調コントローラ２１と同様に、室内機３０ａ，３０ｂ・・・および室外機３１の状態およびその周りの環境状態（温度、湿度あるいは空気清浄度など）を監視する機能を有するとともに、室内機３０ａ，３０ｂ・・・および室外機３１を制御する機能をも有する。このオープン対応空調コントローラ２２は、図４（ｂ）に示されるように、主に、制御部２２ａ、記憶部２２ｃ、および通信部２２ｂから構成されている。記憶部２２ｃには、状態監視機能、リモコン操作許可禁止設定状態監視機能、強制サーモＯＦＦ状態監視機能、発停失敗監視機能、計測値上下限監視機能、機器個別発停操作・設定値変更機能、リモコン操作許可禁止設定機能、メンテナンス中機器登録機能、スケジュール制御機能、機器連動制御機能、停復電処理機能、強制停止機能、下位集中操作禁止機能、運転時間積算機能、発停回数積算機能、トレンド機能、電力按分／料金計算機能、ＮＳＣエアネット機能を司る監視制御プログラムが格納されている（図２および図３参照）。なお、これらの機能のうち、強制サーモＯＦＦ状態監視機能、強制サーモＯＦＦ設定機能は、オープン対応空調コントローラ２２に独自の機能である。また、この記憶部２２ｃには、室内機３０ａ，３０ｂ・・・および室外機３１から送信されてくる監視データ等が格納される。制御部２２ａは、上記監視制御プログラムを実行し、室内機３０ａ，３０ｂ・・・および室外機３１に対して種々の機能を発現させる。通信部２２ｃは、メーカ独自の通信プロトコルとオープンプロトコル（ＢＡＣｎｅｔプロトコル）とを相互に変換するプロトコル変換部２２ｄを有しており、両通信プロトコルに対応するようになっている。
【００２３】
このオープン対応空調コントローラ２２の状態監視機能、リモコン操作許可禁止設定状態監視機能、発停失敗監視機能、計測値上下限監視機能、機器個別発停操作・設定値変更機能、リモコン操作許可禁止設定機能、メンテナンス中機器登録機能、スケジュール制御機能、機器連動制御機能、停復電処理機能、強制停止機能、下位集中操作禁止機能、発停回数積算機能、トレンド機能、電力按分／料金計算機能、およびＮＳＣエアネット機能は、専用空調コントローラ２１の機能と同様である。ただし、監視対象は、室外機３１や室内機３０ａ，３０ｂ・・・などのみならずオープン化対応機器から成るサブシステム４０ａ，４０ｂ・・・にも及ぶ。
【００２４】
強制サーモＯＦＦ状態監視機能は、所定の条件に達した場合に強制的に室外機３１や室内機３０ａ，３０ｂ・・・の運転を停止させる強制サーモＯＦＦ設定の状態を監視する機能である。
（４）専用監視ＰＣ
専用監視ＰＣ１１は、専用空調コントローラ２１から送信されてくる種々の監視データなどを図示しないハードディスクなどの記憶媒体に記憶する。また、この専用監視ＰＣ１１は、その監視データなどをディスプレイに映し出す。また、この専用監視ＰＣ１１は、専用空調コントローラ２１に設定されている状態値や制御値などを変更することも可能である。なお、この専用監視ＰＣ１１は、メーカ独自の通信プロトコルに対応している。
【００２５】
（５）オープン対応監視ＰＣ
オープン対応監視ＰＣ１２は、オープン対応空調コントローラ２２から送信されてくる種々の監視データなどを図示しないハードディスクなどの記憶媒体に記憶する。また、このオープン対応監視ＰＣ１２は、その監視データなどをディスプレイに映し出す。また、このオープン対応監視ＰＣ１２は、オープン対応空調コントローラ２２に設定されている状態値や制御値などを変更することも可能である。なお、このオープン対応監視ＰＣ１２は、オープンプロトコルに対応している。
【００２６】
（６）オープン対応機器から成るサブシステム
オープン対応機器から成るサブシステム４０ａ，４０ｂ・・・は、例えば、照明機器、防犯機器、および防災機器などから成るサブシステムである。なお、このオープン対応機器から成るサブシステム４０ａ，４０ｂ・・・は、オープンプロトコルに対応している。
［空調監視制御システムにおける監視制御選択機能］
専用空調コントローラ２１およびオープン対応空調コントローラ２２には、各機能を発現させるか停止させるかを選択することができる監視制御選択機能が用意されている。ユーザは、この監視制御選択機能を用いることにより、室内機３０ａ，３０ｂ・・・および室外機３１に対する専用空調コントローラ２１とオープン対応空調コントローラ２２との監視制御の関係を調節することができる。以下、各機能についてどのような選択を行うのが好ましいか一例を挙げて述べていく。
【００２７】
（１）監視機能
この空調監視制御システム１００では、図２の右欄に示されるようにオープン対応空調コントローラ２２の監視機能のうちリモコン操作許可禁止設定状態監視機能の発現が禁止される。これは、集中アドレスによる機器の優先度が、オープン対応空調コントローラ２２よりも専用空調コントローラ２１の方が高くなるためである。なお、状態監視機能、発停失敗監視機能、および計測値上下限監視機能は、専用空調コントローラ２１およびオープン対応空調コントローラ２２の両者において発現可能となっているが、どちらか一方の空調コントローラ２１，２２のみが発現可能なように設定されてもかまわない。
【００２８】
（２）操作機能
この空調監視制御システム１００では、図２の右欄に示されるようにオープン対応空調コントローラ２２の操作機能のうちリモコン操作許可禁止設定機能および強制サーモＯＦＦ設定機能の発現が禁止される。これは、オープン対応空調コントローラ２２において強制サーモＯＦＦを解除すると、専用空調コントローラ２１の省エネルギー制御機能およびデマンド制御機能を妨げることになるためである。なお、機器個別発停操作・設定値変更機能およびメンテナンス中機器登録機能は、専用空調コントローラ２１およびオープン対応空調コントローラ２２の両者において発現可能となっているが、どちらか一方の空調コントローラ２１，２２のみが発現可能なように設定されてもかまわない。
【００２９】
（３）制御機能
この空調監視制御システム１００では、図３の右欄に示されるようにオープン対応空調コントローラ２２の制御機能のうちスケジュール制御機能、機器連動制御機能、停復電処理機能、および強制停止機能の発現が禁止される。また、これとは逆に、専用空調コントローラ２１のスケジュール制御、機器連動制御、停復電処理機能、および強制停止機能の発現が禁止される場合もあり得る。なお、これらの選択は、任意である。スケジュール制御機能の併存は技術的に可能であるが、ユーザが混乱するのを防止する目的で一方の空調コントローラ２１，２２のスケジュール制御機能の発現を禁止している。また、機器連動制御機能を併存させると、両空調コントローラ２１，２２の間で延々と連動プログラムを連鎖するといった連動プログラムのループが起こるおそれがあるため、一方の空調コントローラ２１，２２の機器連動制御機能の発現を禁止している。また、停復電処理機能は、電源施工パターンに応じてどちらか一方の空調コントローラ２１，２２に選択される。また、強制停止機能は、火災信号の出元に応じてどちらか一方の空調コントローラ２１，２２に選択される。また、専用空調コントローラ２１およびオープン対応空調コントローラ２２の下位集中操作禁止機能は、共にその発現が禁止される。
【００３０】
（４）データ管理機能
この空調監視制御システム１００では、図３の右欄に示されるようにオープン対応空調コントローラ２２の制御機のうち電力按分／料金計算機能およびＮＳＣエアネット機能の発現が禁止される。また、これとは逆に、専用空調コントローラ２１の電力按分／料金計算機能の発現が禁止される場合もあり得る。なお、これらの選択は、任意である。また、運転時間積算機能、発停回数積算機能およびトレンド機能は、専用空調コントローラ２１およびオープン対応空調コントローラ２２の両者において発現可能となっているが、どちらか一方の空調コントローラ２１，２２のみが発現可能なように設定されてもかまわない。
【００３１】
［空調監視制御システムの特徴］
（１）
本実施の形態に係る空調監視制御システム１００では、専用空調コントローラ２１およびオープン対応空調コントローラ２２の両方が、状態監視機能、発停失敗監視機能、計測値上下限監視機能、機器個別発停操作・設定値変更機能、メンテナンス中機器登録機能、運転時間積算機能、発停回数積算機能、およびトレンド機能を有する。また、専用空調コントローラ２１のみが、連続運転時限監視機能、状態不一致警報監視機能、リモコン操作許可禁止設定機能、スケジュール制御機能、機器連動制御機能、停復電処理機能、強制停止機能、省エネルギー制御機能、デマンド制御機能、日報・月報・年報作成機能、電力按分／料金計算機能、ＮＳＣエアネット機能、およびローカル故障予知機能を有する。一方、オープン対応空調コントローラ２２のみが、強制サーモＯＦＦ状態監視機能を有する。また、専用空調コントローラ２１がメーカ独自の通信プロトコルに対応し、オープン対応空調コントローラ２２がオープンプロトコルに対応する。したがって、この空調監視制御システム１００では、室内機３０ａ，３０ｂ・・・などと空調コントローラ２１，２２との通信のオープン化に対応しつつもメーカ独自の連続運転時限監視機能、状態不一致警報監視機能、省エネルギー制御機能、デマンド制御機能、日報・月報・年報作成機能、ローカル故障予知機能を発現することができる。
【００３２】
（２）
本実施の形態に係る空調監視制御システム１００では、室内機３０ａ，３０ｂ・・・と専用空調コントローラ２１との間の通信プロトコルが、室内機３０ａ，３０ｂ・・・とオープン対応空調コントローラ２２との間の通信プロトコルと同一である。このため、室内機３０ａ，３０ｂ・・・の通信機能を簡易化することができる。
【００３３】
（３）
本実施の形態に係る空調監視制御システム１００では、室内機３０ａ，３０ｂ・・・が、ともに第１通信ライン５３に通信接続されている。このため、空調監視制御システム１００の配線作業を容易に行うことができる。
（４）
本実施の形態に係る空調監視制御システム１００では、専用空調コントローラ２１が、メーカ独自の通信プロトコルに対応する。また、オープン対応空調コントローラ２２が、オープンプロトコルに対応する。このため、専用空調コントローラ２１は、他のメーカ独自の通信プロトコルに対応するエアコンなどに接続することができる。同様に、オープン対応空調コントローラ２２は、オープン対応機器から成るサブシステム４０ａ，４０ｂ・・・に接続することができる。したがって、メーカ独自のプロトコルに対応するエアコンとオープン対応のエアコンとを設計変更などを伴わずに容易に接続することができる。
【００３４】
（５）
本実施の形態に係る空調監視制御システム１００では、専用監視ＰＣ１１が、専用空調コントローラ２１に接続される。また、オープン対応監視ＰＣ１２が、オープン対応空調コントローラ２２に接続される。このため、専用空調コントローラ２１の連続運転時限監視機能、状態不一致警報監視機能、省エネルギー制御機能、デマンド制御機能、日報・月報・年報作成機能、およびローカル故障予知機能でしか取得できない情報は、専用監視ＰＣ１１により取得することができる。また、オープン対応空調コントローラ２２の強制サーモＯＦＦ状態監視機能でしか監視できない情報は、オープン対応監視ＰＣ１２により監視することができる。したがって、メーカ独自のエアコンの監視情報を閲覧できると同時に、オープン対応のエアコンの監視情報を一元的に閲覧することができる。
【００３５】
［変形例］
（Ａ）
先の実施の形態に係る空調監視制御システム１００では、専用監視ＰＣ１１が第２通信ライン５１を介して専用空調コントローラ２１に通信接続されていたが、専用監視ＰＣ１１が専用空調コントローラ２１に内蔵されてもよい。また、同様に、オープン対応監視ＰＣ１２がオープン対応空調コントローラ２２に内蔵されていてもよい。
【００３６】
（Ｂ）
先の実施の形態に係る空調監視制御システム１００では、室内機３０ａ，３０ｂ・・・、室外機３１、専用空調コントローラ２１、およびオープン対応空調コントローラ２２が共通の通信ラインで通信接続されたが、専用空調コントローラ２１とオープン対応空調コントローラ２２とは、別の通信ラインで室内機３０ａ，３０ｂ・・・および室外機３１に通信接続されてもかまわない。また、この場合、専用空調コントローラ２１と室内機３０ａ，３０ｂ・・・および室外機３１との間の通信プロトコルと、オープン対応空調コントローラ２２と室内機３０ａ，３０ｂ・・・および室外機３１との間の通信プロトコルとは、相違していてもかまわない。
【００３７】
（Ｃ）
先の実施の形態に係る空調監視制御システム１００では、監視制御選択機能が設けられたが、この監視制御選択機能にスケジュール機能を付与してもよい。つまり、専用空調コントローラ２１で例えば８：００から１２：００まである機能が実行され、１２：００から１８：００までは同機能がオープン対応空調コントローラで実行されるといった具合である。
【産業上の利用可能性】
【００３８】
本空調監視制御システムは、空気調和装置と監視制御機器との通信をオープン化に対応しつつもメーカ独自の精密な監視制御を行うことができ、ビル監視システムなどに応用することができる。
【図面の簡単な説明】
【００３９】
【図１】空調監視制御システムの全体構成図。
【図２】単独システムと併設システムとにおける専用空調コントローラとオープン対応空調コントローラとの機能対比を示す表（１）。
【図３】単独システムと併設システムとにおける専用空調コントローラとオープン対応空調コントローラとの機能対比を示す表（２）。
【図４】（ａ）専用空調コントローラの機能ブロック図、（ｂ）オープン対応空調コントローラの機能ブロック図。
【符号の説明】
【００４０】
１１                      専用監視ＰＣ（第１監視盤）
１２                      オープン対応監視ＰＣ（第２監視盤）
２１                      専用空調コントローラ（第１空調監視制御機器）
２２ｄ                    プロトコル変換部（プロトコル変換手段）
２２                      オープン対応空調コントローラ（第２空調監視制御機器）
３０ａ，３０ｂ・・・      室内機（空気調和装置）
３１                      室外機（空気調和装置）
５３                      第１通信ライン
１００                      空調監視制御システム
【図１】
2005274125.tif 000003
【図２】
2005274125.tif 000004
【図３】
2005274125.tif 000005
【図４】
2005274125.tif 000006